【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
少なくとも１人のユーザーによって操作されるインターフェースをそれぞれ有する少なくとも２つのデバイスに接続されたサーバーのプロセッサーを用いて通信セッションをホストする方法であって、
それぞれのインターフェースについて、当該インターフェースの少なくとも１つの能力を識別し、
それぞれのインターフェースについて、当該インターフェースの前記少なくとも１つの能力によってサポートされるインターフェース様式を選択し、
前記インターフェース様式とは異なるネイティブ様式で提供される、前記インターフェースの１つへ送信されるべき前記通信セッションのためのセッションアイテムを受信すると、
前記セッションアイテムを前記セッションアイテムの前記インターフェース様式によるインターフェース固有表現に変換し、
前記セッションアイテムの前記インターフェース固有表現を前記少なくとも１つのインターフェースへ送信する、
ように構成された命令を前記プロセッサー上で実行することを含む、方法。
【請求項２】
前記命令は、
前記通信セッションを開始し、
デバイスの少なくとも１人のユーザーから前記通信セッションに参加するリクエストを受信すると、前記デバイスの前記少なくとも１人のユーザーを前記通信セッションに参加させ、
デバイスの少なくとも１人のユーザーから前記通信セッションから退出するリクエストを受信すると、前記デバイスの前記少なくとも１人のユーザーを前記通信セッションから退出させ、
全てのユーザーが通信セッションから退出すると、前記通信セッションを終了する、
ように構成された、請求項１に記載の方法。
【請求項３】
前記通信セッションの少なくとも１人のユーザーは、当該少なくとも１人のユーザーを記述し少なくとも１つの認証用証明物に従って検証されたユーザープロファイルを有し、
前記命令は、
少なくとも１人のユーザーから前記ユーザープロファイルで前記通信セッションに参加するリクエストを受信すると、
前記少なくとも１人のユーザーから少なくとも１つの認証用証明物を受信し、
前記認証用証明物を前記ユーザープロファイルで検証すると前記少なくとも１人のユーザーを前記ユーザープロファイルで前記通信セッションに参加させる、
ように構成された、請求項２に記載の方法。
【請求項４】
少なくとも１人の第１のユーザーの少なくとも１つのユーザープロファイルは、前記少なくとも１人の第１のユーザーが持つ前記インターフェースの少なくとも１つのプロファイル固有能力が、前記少なくとも１人の第１のユーザーと交換されたセッションアイテムの前記インターフェース固有表現を変換する際に使用されるべきであることを指定し、
前記インターフェース様式を選択することは、更に、前記インターフェースの前記少なくとも１つのプロファイル固有能力によってサポートされているインターフェース様式を含み、
前記命令は、前記少なくとも１人の第１のユーザーから第１のセッションアイテムを受信すると、前記セッションアイテムを前記少なくとも１人の第１のユーザーの前記ユーザープロファイルの前記少なくとも１つのプロファイル固有能力に従って選択された前記インターフェース様式に変換するように構成され、
前記少なくとも１人の第１のユーザーが持つ前記インターフェースへ送信するための、少なくとも１人の第２のユーザーから受信された第２のセッションアイテムのインターフェース固有表現を変換することは、前記第２のユーザーが持つ前記インターフェースの前記少なくとも１つのプロファイル固有能力に従って選択された前記インターフェース様式に前記第２のセッションアイテムのインターフェース固有表現を変換することを含む、
請求項３に記載の方法。
【請求項５】
前記命令は、少なくとも１人のユーザーから前記通信セッションに関連する少なくとも１つの命令を受信すると、前記命令を前記通信セッション上で実行するように構成された、請求項１に記載の方法。
【請求項６】
前記通信セッションのそれぞれのユーザーは、０以上の管理用能力を含み、
前記通信セッション上で実行されることができるそれぞれの命令は、０以上の管理用能力を利用し、
前記命令の実行は、
前記命令によって利用される前記０以上の管理用能力を識別し、
前記命令を送信した前記少なくとも１人のユーザーの前記０以上の管理用能力を識別し、
前記命令によって利用される前記０以上の管理用能力を前記少なくとも１人のユーザーが含むことを検証すると、前記命令を前記通信セッション上で実行する、
ことを含む、請求項５に記載の方法。
【請求項７】
前記命令は、少なくとも１つのデバイスのユーザーを前記通信セッションに追加する招待を含み、
前記通信セッション上での前記命令の実行は、
前記ユーザーの少なくとも１つのデバイスへ前記招待を送信し、
前記ユーザーから前記招待の受諾を受信すると、前記ユーザーを前記通信セッションに参加させる、
ことを含む、請求項５に記載の方法。
【請求項８】
前記通信セッションの少なくとも１人の第１のユーザーは、当該少なくとも１人の第１のユーザーを記述するユーザープロファイルを有し、
前記命令は、前記ユーザープロファイルの少なくとも一部分を少なくとも１人の第２のユーザーと共有するリクエストを含み、
前記通信セッション上での前記命令の実行は、前記ユーザープロファイルの前記少なくとも一部分に従って前記少なくとも１人の第２のユーザーに対し前記少なくとも１人の第１のユーザーを表現することを含む、
請求項５に記載の方法。
【請求項９】
前記命令は、
前記通信セッションに参加している第１のユーザーがデバイスの第１のインターフェースからデバイスの第２のインターフェースへ推移したことを検出すると、
前記デバイスの前記第２のインターフェースの少なくとも１つの能力を識別し、
前記通信セッションの第２のユーザーからセッションアイテムを受信すると、
前記デバイスの前記第２のインターフェースの前記少なくとも１つの能力に従って選択された前記インターフェース様式に前記セッションアイテムのインターフェース固有表現を変換し、
前記セッションアイテムの前記インターフェース固有表現を前記第２のインターフェースへ送信する、
ように構成された、請求項１に記載の方法。
【請求項１０】
少なくとも１つの第１のセッションアイテムは、少なくとも１つの第２のセッションアイテムと応答的関係性を有し、
前記命令は、前記第１のセッションアイテムの前記第２のセッションアイテムとの前記応答的関係性を示す通知と共に、前記インターフェースを介して前記少なくとも１人のユーザーへ前記第１のセッションアイテムの前記インターフェース固有表現を送信するように構成された、
請求項１に記載の方法。
【請求項１１】
前記通信セッションサーバーは、前記通信セッションの少なくとも１つのセッションアイテムを記憶するように構成されたセッションアイテム記憶装置を含み、
前記命令は、前記通信セッションに関するセッションアイテムを受信すると、当該セッションアイテムを前記セッションアイテム記憶装置に記憶するように構成された、
請求項１に記載の方法。
【請求項１２】
前記命令は、
少なくとも１つのインターフェースを有するデバイスを操作する前記通信セッションの少なくとも１人のユーザーから前記通信セッションを閲覧するリクエストを受信すると、
前記通信セッションに関連付けられた少なくとも１つのセッションアイテムを前記セッションアイテム記憶装置から取り出し、
それぞれのセッションアイテムに対して、
前記インターフェースの少なくとも１つの能力に従って前記インターフェース様式に前記セッションアイテムのインターフェース固有表現を変換し、
前記インターフェースを介して前記少なくとも１人のユーザーへ前記セッションアイテムの前記インターフェース固有表現を送信する、
ように構成された、請求項１１に記載の方法。
【請求項１３】
前記命令は、
第２のユーザーによって操作される第１のインターフェースの少なくとも１つの能力に従ってインターフェース固有表現として変換されることが不可能であるセッションアイテムを第１のユーザーから受信すると、
前記セッションアイテムをセッションアイテム記憶装置に記憶し、
前記第１のインターフェースを介して前記第２のユーザーに前記セッションアイテムについて通知し、
前記セッションアイテムにアクセスするリクエストを前記第２のユーザーからデバイスの第２のインターフェースを介して受信すると、
前記セッションアイテム記憶装置から前記通信セッションに関連付けられた前記セッションアイテムを取り出し、
前記第２のインターフェースの少なくとも１つの能力を識別し、
前記第２のインターフェースの少なくとも１つの能力に従って選択された前記インターフェース様式に前記セッションアイテムのインターフェース固有表現を変換し、
前記第２のインターフェースを介して前記第２のユーザーへ前記セッションアイテムの前記インターフェース固有表現を送信する、
ように構成された、請求項１１に記載の方法。
【請求項１４】
少なくとも１人のユーザーによって操作されるインターフェースをそれぞれ有する少なくとも２つのデバイスに接続されたサーバーのプロセッサーを用いて通信セッションをホストするように構成されたシステムであって、
それぞれのインターフェースについて当該インターフェースの少なくとも１つの能力を識別するように構成された能力識別コンポーネントと、
前記インターフェース様式とは異なるネイティブ様式で提供される、前記それぞれのインターフェースの１つへ送信されるべき前記通信セッションのためのセッションアイテムを受信すると、前記セッションアイテムを前記ネイティブ様式から前記インターフェース様式に変換して前記セッションアイテムのインターフェース固有表現を作成するように構成されたインターフェース固有変換コンポーネントと、
前記セッションアイテムの前記インターフェース固有表現を前記少なくとも１つのインターフェースへ送信するように構成されたセッションアイテム送信コンポーネントと、
を含む、システム。
【請求項１５】
少なくとも１人のユーザーによって操作されるインターフェースをそれぞれ有する少なくとも２つのデバイスに接続されたサーバーのプロセッサー上で実行された時に、前記サーバーに前記少なくとも２つのデバイス間の通信セッションをホストさせる命令を備えた不揮発性コンピューター読み取り可能記憶装置であって、
前記サーバーは、
それぞれのインターフェースについて、当該インターフェースの少なくとも１つの能力を識別し、
それぞれのインターフェースについて、当該インターフェースの前記少なくとも１つの能力によってサポートされるインターフェース様式を選択し、
前記インターフェース様式とは異なるネイティブ様式で提供される、前記インターフェースの１つへ送信されるべき前記通信セッションのためのセッションアイテムを受信すると、
前記セッションアイテムを前記セッションアイテムの前記インターフェース様式によるインターフェース固有表現に変換し、
前記セッションアイテムの前記インターフェース固有表現を前記少なくとも１つのインターフェースへ送信する、
ことによって通信セッションをホストする、不揮発性コンピューター読み取り可能記憶装置。